(57)【要約】【課題】表示時間の管理が必要な第１の情報（コマーシャル映像）に代えて第２の情報（告知案内映像）をローカルに表示するとともに、コマーシャル映像の表示時間を外部機器で得るようにした映像表示システムを得る。【解決手段】コマーシャル映像情報を映像サーバ１００内に格納し、映像サーバ１００から表示制御装置３１にコマーシャル映像情報を配信し、表示制御装置３１がコマーシャル映像を映像表示装置２０に表示させる。表示制御装置３１は、操作部材６０による操作信号が表示信号送出部５３による映像情報の選択を指示するとき、コマーシャル映像に代えて告知案内映像を映像表示装置２０に表示する。映像サーバ１００は、表示制御装置３１にいつ、どの映像情報を送信したかを示す情報を映像サーバ１００に記憶する。表示制御装置３１は、いつ、コマーシャル映像情報を選択して映像表示装置２０に表示させていたかを示す情報を表示制御装置３１に記憶する。外部端末１３０Ａは、ネットワーク１２０を介して映像サーバ１００および映像表示装置３１に記憶された情報を得る。【選択図】図１
2004085848.tif 000002
【特許請求の範囲】
【請求項１】
映像情報を表示する表示装置と、
前記表示装置に表示するための時間管理が必要な第１の情報を供給する第１の情報提供手段と、
前記表示装置に表示するための第２の情報を供給する第２の情報提供手段と、
前記第１の情報提供手段から供給された前記第１の情報と、前記第２の情報提供手段から供給された前記第２の情報とのいずれか一方を選択して前記表示装置へ出力する表示切り換え手段と、
前記表示切換え手段が前記第１の情報を選択した日時を示す情報を記録する第１の記録手段と、
前記第１の記録手段による第１の記録情報の送信を要求する外部機器と、
前記外部機器による要求に応じて、前記第１の記録情報を送信する第１の記録情報送信手段とを備えることを特徴とする情報表示システム。
【請求項２】
請求項１に記載の情報表示システムにおいて、
前記第１の情報提供手段が前記第１の情報を供給した日時を示す情報を記録する第２の記録手段と、
前記外部機器からの要求に応じて、前記第２の記録手段による第２の記録情報を送信する第２の記録情報送信手段とをさらに備えることを特徴とする情報表示システム。
【請求項３】
請求項２に記載の情報表示システムにおいて、
前記外部機器は、前記第１の記録情報および前記第２の記録情報に基づいて前記表示手段が前記第１の情報を表示した表示履歴情報を生成することを特徴とする情報表示システム。
【請求項４】
請求項１〜３のいずれかに記載の情報表示システムにおいて、
前記第１の情報提供手段は、所定時間ごと、もしくは前記第１の情報が変化するごとに前記第１の情報を供給し、
前記表示切り換え手段は、前記第２の情報から前記第１の情報に選択を切り換えたとき、前記所定時間、もしくは前記第１の情報の変化にかかわらず前記第１の情報の供給を前記第１の情報提供手段に要求することを特徴とする情報表示システム。
【発明の詳細な説明】
【０００１】
【発明の属する技術分野】
本発明は、映像情報を表示装置に表示する情報表示システムに関する。
【０００２】
【従来の技術】
コマーシャル映像などを表示する映像表示装置が知られている。特開２００１−６１１３６号公報には、情報提供装置（映像サーバ）に蓄積されている映像を映像制御装置に送信し、映像制御装置が表示装置に当該映像を表示させるシステムが開示されている。
【０００３】
【発明が解決しようとする課題】
上述したシステムでは、表示履歴情報を映像サーバ側で管理する。映像サーバ内にあらかじめ用意されたコマーシャル映像は、映像制御装置にダウンロードされた上で表示装置に表示される。このような表示装置にコマーシャル映像が表示されているとき、コマーシャル映像に代えて告知案内など他の情報を表示装置に表示させたいことがある。コマーシャル映像以外の他の情報を表示する場合、実際にコマーシャル映像を表示した時間の情報を管理する必要が生じる。
【０００４】
本発明の目的は、時間管理が必要な第１の情報、および第２の情報のいずれか一方を選択して表示するとともに、第１の情報の選択時間を示す情報を外部機器へ送るようにした情報表示システムを提供することにある。
【０００５】
【課題を解決するための手段】
本発明による情報表示システムは、映像情報を表示する表示装置と、表示装置に表示するための時間管理が必要な第１の情報を供給する第１の情報提供手段と、表示装置に表示するための第２の情報を供給する第２の情報提供手段と、第１の情報提供手段から供給された第１の情報と、第２の情報提供手段から供給された第２の情報とのいずれか一方を選択して表示装置へ出力する表示切り換え手段と、表示切換え手段が第１の情報を選択した日時を示す情報を記録する第１の記録手段と、第１の記録手段による第１の記録情報の送信を要求する外部機器と、外部機器による要求に応じて、第１の記録情報を送信する第１の記録情報送信手段とを備えることにより、上述した目的を達成する。
情報表示システムはさらに、第１の情報提供手段が第１の情報を供給した日時を示す情報を記録する第２の記録手段と、外部機器からの要求に応じて、第２の記録手段による第２の記録情報を送信する第２の記録情報送信手段とを備えてもよい。この場合の外部機器は、第１の記録情報および第２の記録情報に基づいて表示手段が第１の情報を表示した表示履歴情報を生成することもできる。
第１の情報提供手段は、所定時間ごと、もしくは第１の情報が変化するごとに第１の情報を供給するように構成してもよく、この場合の表示切り換え手段は、第２の情報から第１の情報に選択を切り換えたとき、所定時間、もしくは第１の情報の変化にかかわらず第１の情報の供給を第１の情報提供手段に要求するとよい。
【０００６】
【発明の実施の形態】
以下、図面を参照して本発明の実施の形態を説明する。
図１は、本発明の一実施の形態による情報表示システムの全体構成図である。図１において、映像サーバ１００は、データセンターなどに設置されている。複数の表示制御装置３１（３１Ａ〜３１Ｃ）は、それぞれ通信回線を介して映像サーバ１００に接続されている。表示制御装置３１（３１Ａ〜３１Ｃ）には、それぞれ映像表示装置２０（２０Ａ〜２０Ｃ）が接続されている。表示制御装置３１Ａは映像表示装置２０Ａを、表示制御装置３１Ｂは映像表示装置２０Ｂを、表示制御装置３１Ｃは映像表示装置２０Ｃを、それぞれ表示制御する。映像サーバ１００は、インターネットなどのネットワーク１２０を介して外部端末１３０Ａおよび外部端末１３０Ｂと通信可能に構成されている。
【０００７】
映像表示装置２０は、ＬＥＤなどの発光素子を画素に対応させて多数配列した表示装置、液晶などのパネル型表示装置、大型ＣＲＴ、投射型表示装置、および磁性体球状粒子（たとえば、特開２００２−６３４６号公報参照）による表示装置などによって構成される。映像表示装置２０Ａ〜２０Ｃはそれぞれ異なる場所に設置され、たとえば、配置映像表示装置２０Ａが鉄道の駅に、映像表示装置２０Ｂが競技場に、映像表示装置２０Ｃが公園に、それぞれ設置されている。
【０００８】
映像サーバ１００はハードディスク装置（ＨＤＤ）１０２を有し、表示制御装置３１へ供給するコマーシャル映像情報を格納する。図２は、コマーシャル映像情報によって映像表示装置２０に表示される画面の例を示す図である。映像サーバ１００はネットワーク１２０に接続されており、コマーシャル映像情報を他の映像サーバ（不図示）からネットワーク１２０を介して入手したり、映像サーバ１００に接続した情報入力装置１１０から直接入手したりして、入手したコマーシャル映像情報をＨＤＤ１０２に記録する。
【０００９】
映像サーバ１００は、表示制御装置３１Ａ〜３１Ｃのそれぞれに対し、あらかじめ用意されている映像表示プログラムに応じて、ＨＤＤ１０２からコマーシャル映像情報を読み出し、通信回線を経由して表示制御装置３１Ａ〜３１Ｃへそれぞれ送信する。コマーシャル映像情報は、映像サーバ１００内の映像表示プログラムによって各表示制御装置へ送信する他に、表示制御装置３１Ａ〜３１Ｃから映像サーバ１００へ送信される各表示制御装置ごとの要求に応じて送信してもよい。
【００１０】
映像サーバ１００は、表示制御装置３１Ａ〜３１Ｃへそれぞれ送信した映像情報について、当該映像情報名と送信日時を示す情報とを各表示制御装置３１ごとにＨＤＤ１０２へ記憶する。これにより、映像サーバ１００が各表示制御装置３１にいつ、どの映像情報を送信したかを示す情報が保持される。
【００１１】
図３は、表示制御装置３１の概要を説明する図である。表示制御装置３１Ａ〜３１Ｃは、それぞれ図３と同様の構成を有する。図３において、表示制御装置３１は、パーソナルコンピュータ（以後、パソコンと呼ぶ）などによって構成される。表示制御装置３１は、ＣＰＵ５０と、通信インターフェイス回路７３と、表示インターフェイス回路７４と、モニタ用インターフェイス回路７１と、入力インターフェイス回路７２とを含む。
【００１２】
通信インターフェイス回路７３は、通信回線を介して映像サーバ１００との間で通信を行い、映像サーバ１００から送信されるコマーシャル映像情報を受信したり、表示制御装置３１の情報などを映像サーバ１００へ送信したりする。表示インターフェイス回路７４は、映像表示装置２０に表示させる映像信号を出力する。モニタ用インターフェイス回路７１は、モニタディスプレイ６５に表示させる映像信号を出力する。モニタディスプレイ６５は、映像表示装置２０で表示されている映像をモニタ表示する他に、パソコンの操作画面を表示するように構成されている。入力インターフェイス回路７２は、キーボード６０Ａおよびポインティングデバイス６０Ｂなどで構成される操作部材６０からの操作信号と、音声入力装置６０Ｃから入力された音声入力信号とをＣＰＵ５０へ出力する。
【００１３】
ＣＰＵ５０はその内部に、入力解釈部５１と、映像情報選択部５４と、選択情報送信部５５と、表示信号送出部５３とを含む。入力解釈部５１は、入力インターフェイス回路７２から入力された操作信号を解析し、解析結果が示す映像を選択するための選択指示信号を映像情報選択部５４へ出力する。映像情報選択部５４は、選択指示信号にしたがって以下の２つの映像情報の一方を選択する。なお、入力解釈部５１が操作信号を解析不能であった場合は、現在選択している映像情報を引き続き選択する。
【００１４】
▲１▼映像サーバ１００から通信インターフェイス回路７３を介して入力されたコマーシャル映像情報
▲２▼表示信号送出部５３が生成した映像情報
ここで、表示信号送出部５３が生成した映像情報とは、操作部材６０からの操作信号、もしくは音声入力装置６０Ｃからの入力信号を用いて表示信号送出部５３が生成したものである。図４は、表示信号送出部５３が生成した映像情報によって映像表示装置２０に表示される画面の例を示す図である。この表示は、映像表示装置２０を見る人にローカルに伝える告知案内情報である。
【００１５】
操作部材６０からの操作信号がブランク表示を指示する場合は、表示信号送出部５３はブランク表示のための映像情報を生成する。このブランク表示用の映像情報が映像情報選択部５４で選択され、表示インターフェイス回路７４へ出力されると、映像表示装置２０が非表示にされる。
【００１６】
選択情報送信部５５は、映像情報選択部５４が上記▲１▼および▲２▼のいずれの映像情報を選択しているかを示す選択情報を、日時を示す情報とともに不図示の記憶装置（たとえば、ＨＤＤ）に記憶する。これにより、表示制御装置３１がいつ、上記▲１▼の映像情報を映像表示装置２０に表示させていたか否かを示す情報が保持される。選択情報送信部５５は、通信インターフェイス回路７３を介して選択情報の要求を受けると、記憶している選択情報および日時情報を通信インターフェイス回路７３を介して映像サーバ１００へ送信する。
【００１７】
以上説明した表示制御装置３１は、通常、映像サーバ１００から供給される上記▲１▼の映像情報によるコマーシャル映像を映像表示装置２０に表示する（図２）。選択情報送信部５５は、映像情報選択部５４が上記▲１▼の映像情報を選択したことを日時情報とともに記憶する。
【００１８】
表示制御装置３１は、入力解釈部５１による解析結果が表示信号送出部５３による映像情報の選択を指示するとき、表示信号送出部５３で生成された上記▲２▼の映像情報による告知案内を映像表示装置２０に表示する（図４）。告知案内は、キーボード６０Ａやポインティングデバイス６０Ｂなどの操作信号、もしく音声入力装置６０Ｃからの入力信号によって指示されたものである。選択情報送信部５５は、映像情報選択部５４が上記▲２▼の映像情報を選択したこと日時情報とともに記憶する。
【００１９】
本発明は、表示時間の管理が必要なコマーシャル映像などを映像表示装置２０に表示する映像表示システムにおいて、コマーシャル映像に代えてローカルな告知案内映像を映像表示装置２０に表示するように構成し、コマーシャル映像の表示時間を映像サーバ１００および映像表示装置２０以外の外部機器によって管理できるようにしたものである。
【００２０】
図１において、外部端末１３０Ａおよび外部端末１３０Ｂは、それぞれネットワーク１２０に接続されおり、ネットワーク１２０に接続されている映像サーバ１００との間で通信可能に構成されている。外部端末１３０Ａ（外部端末１３０Ｂ）は、ネットワーク１２０におけるデータの格納位置を示すＵＲＬ（Ｕｎｉｆｏｒｍ　Ｒｅｓｏｕｒｃｅ　Ｌｏｃａｔｏｒ）を指定すると、当該ＵＲＬで示される機器にアクセス可能に構成されている。そこで、外部端末１３０Ａ（外部端末１３０Ｂ）は、映像サーバ１００がＨＤＤ１０２へ記憶した上記情報、すなわち、映像サーバ１００が各表示制御装置にいつ、どの映像情報を送信したかを示す情報の格納位置を示すＵＲＬを指定することにより、ＨＤＤ１０２に記憶されている上記情報を得ることができる。このように、外部端末１３０Ａもしくは外部端末１３０Ｂから、映像サーバ１００が各表示制御装置に対していつ、どの映像情報を送信したかを示す情報を得ることができる。
【００２１】
外部端末１３０Ａ（外部端末１３０Ｂ）が映像サーバ１００に上記選択情報を要求すると、映像サーバ１００は、通信回線を介して表示制御装置３１との間で通信を行い、表示制御装置３１のＣＰＵ５０から選択情報を受信する。映像サーバ１００はさらに、受信した選択情報を外部端末１３０Ａ（外部端末１３０Ｂ）へ送る。この選択情報は、上述したように、映像情報選択部５４がいつ、上記▲１▼および▲２▼の映像情報を選択したかを示す情報である。このように、外部端末１３０Ａもしくは外部端末１３０Ｂから、表示制御装置３１がいつ、上記▲１▼の映像情報を映像表示装置２０に表示させていたかを示す情報を得ることができる。
【００２２】
外部端末１３０Ａ（外部端末１３０Ｂ）は、映像サーバ１００が表示制御装置３１に対して映像情報を送信した時間（Ｔ１とする）の中で、表示制御装置３１が上記▲１▼の映像情報を選択した時間（Ｔ２とする）、すなわち、映像表示装置２０にコマーシャル映像を実際に表示させた時間（Ｔ１∩Ｔ２）を算出する。通常、表示制御装置３１の映像表示プログラムは、コマーシャル映像をあらかじめ定めた期間の中で所定時間Ｔ１の表示を行うように各表示制御装置にそれぞれ与えられる。Ｔ１＞（Ｔ１∩Ｔ２）が成立する場合は、実際の表示時間が映像表示プログラムによる予定表示時間Ｔ１を満たさない。この場合には、外部端末１３０Ａ（外部端末１３０Ｂ）は、不足時間を追加して表示する指示を表示制御装置３１に送るように、映像サーバ１００に対して指示する。
【００２３】
なお、外部端末１３０Ａ（外部端末１３０Ｂ）は、映像表示装置２０にコマーシャル映像を実際に表示させた時間（Ｔ１∩Ｔ２）を算出したとき、映像表示装置２０に表示した映像情報と表示日時とを関連づけた情報、すなわち、表示履歴情報を生成してもよい。表示履歴によって、映像表示装置２０にコマーシャル映像情報が表示されなかった場合の日時情報を得ることができる。
【００２４】
以上説明した実施の形態についてまとめる。
（１）コマーシャル映像情報を映像サーバ１００内に格納し、映像サーバ１００から表示制御装置３１（３１Ａ〜３１Ｃ）にそれぞれコマーシャル映像情報を配信し、表示制御装置３１（３１Ａ〜３１Ｃ）がそれぞれコマーシャル映像を映像表示装置２０（２０Ａ〜２０Ｃ）に表示させるようにした（図２）。これにより、システム管理者が映像サーバ１００内に格納されているオリジナル映像情報を変更するだけで、全ての映像表示装置２０（２０Ａ〜２０Ｃ）に表示されるコマーシャル映像を変更することができる。この結果、システム管理者が表示制御装置３１（３１Ａ〜３１Ｃ）の設置場所を回り、それぞれに対して映像情報の変更作業を行う場合に比べて、運用コストを低減することができる。
【００２５】
（２）表示制御装置３１は、操作部材６０による操作信号が表示信号送出部５３による映像情報の選択を指示するとき、コマーシャル映像に代えて告知案内映像を映像表示装置２０に表示するようにした（図４）。告知案内映像情報は、操作部材６０からの入力信号もしくは音声入力装置６０Ｃからの入力信号に応じて表示信号送出部５３で生成したものである。これにより、映像表示装置を２０コマーシャル映像用と告知案内映像用とに使い分けることができる。また、コマーシャル映像と告知案内映像との選択切り換えは、告知案内映像を表示させたい映像表示装置２０を制御する表示制御装置３１の操作部材６０によって行うようにしたから、映像サーバ１００に何ら割り込みすることなく、ローカルに告知案内映像に切り換えることができる。このため、告知案内映像を選択しない他の映像表示装置では、引き続きコマーシャル映像を表示することができる。
【００２６】
（３）映像サーバ１００が表示制御装置３１（３１Ａ〜３１Ｃ）にいつ、どの映像情報を送信したかを示す情報を映像サーバ１００に記憶し、表示制御装置３１（３１Ａ〜３１Ｃ）のそれぞれが、いつ、コマーシャル映像情報を選択して映像表示装置２０（２０Ａ〜２０Ｃ）に表示させていたかを示す情報を各表示制御装置３１に記憶するようにした。この結果、映像サーバ１００内に保持された情報と、表示制御装置３１（３１Ａ〜３１Ｃ）のそれぞれに保持された情報とを用いて、各映像表示装置２０（２０Ａ〜２０Ｃ）に実際にコマーシャル映像を表示した時間（Ｔ１∩Ｔ２）を求めることができる。一般に、コマーシャル映像は表示時間があらかじめ定められているので、実際の表示時間が当初の表示予定時間に不足するとき、不足分を追加表示させるなどの処置を施すことが可能になる。
【００２７】
（４）上記（３）の映像サーバ１００に記憶される情報、および表示制御装置３１（３１Ａ〜３１Ｃ）のそれぞれに保持される情報は、外部端末１３０Ａもしくは外部端末１３０Ｂによって得るようにしたので、表示時間管理者は、映像サーバ１００および表示制御装置３１（３１Ａ〜３１Ｃ）の設置場所以外の場所から上記情報を得ることができる。この結果、表示時間管理者が映像サーバ１００、表示制御装置３１（３１Ａ〜３１Ｃ）の設置場所へ出かけて上記情報を入手する場合に比べて、運用コストを低減することができる。
【００２８】
以上の説明では、表示制御装置３１（３１Ａ〜３１Ｃ）のそれぞれが、いつ、コマーシャル映像情報を選択して映像表示装置２０（２０Ａ〜２０Ｃ）に表示させていたかを示す情報を各表示制御装置に記憶するようにした。この代わりに、表示制御装置３１（３１Ａ〜３１Ｃ）が上記情報をそれぞれ映像サーバ１００へ送信し、映像サーバ１００が受信した情報を各表示制御装置ごとにＨＤＤ１０２へ記憶してもよい。
【００２９】
上述した例では、告知案内映像情報を操作部材６０もしく音声入力装置６０Ｃからの入力信号によって表示信号送出部５３で生成するようにした。この代わりに、表示制御装置３１（３１Ａ〜３１Ｃ）にそれぞれ接続した情報入力装置１１２Ａ〜１１２Ｃから告知案内映像情報を直接入手してもよい。
【００３０】
また、あらかじめ生成した告知案内映像情報を表示制御装置３１（３１Ａ〜３１Ｃ）内の記憶装置（不図示）に記憶しておいてもよい。
【００３１】
コマーシャル映像（図２）および告知案内映像（図４）は、文字表示に限らず、マークなどを表示するものでもよい。
【００３２】
コマーシャル映像（図２）および告知案内映像（図４）は、それぞれ画像を含むものでもよく、この場合の画像は静止画像でも動画像でもよい。
【００３３】
上記の例において映像サーバ１００と表示制御装置３１Ａ〜３１Ｃ間を結ぶ通信回線は、ネットワークを形成してパケット通信を用いてもよい。
【００３４】
さらに、以上の説明では映像サーバ１００と表示制御装置３１Ａ〜３１Ｃ間とをそれぞれ専用通信回線で接続する例を示したが、専用通信回線の代わりに外部端末１３０Ａ等に接続しているものと同様のネットワーク１２０（インターネットなど）で接続してもよい。この場合には、外部端末１３０Ａおよび外部端末１３０Ｂが、映像サーバ１００を介さずに表示制御装置３１Ａ〜３１Ｃから上記選択情報を直接入手することが可能になる。
【００３５】
説明を簡単にするために、外部端末が１３０Ａと１３０Ｂの２台の場合を示したが、最低１台でも本発明は成立し得るし、また、３台以上の多数であっても成立する。これら外部端末としては、公知のパーソナルコンピュータが利用できる。
【００３６】
コマーシャル映像の実際の表示時間が当初の表示予定時間に不足するとき、不足分を追加表示させる処置を施す代わりに、コマーシャル映像に対する課金情報を修正する処置を施してもよい。
【００３７】
磁性体粒子を用いた表示装置によって映像表示装置２０を構成する場合は、映像表示装置２０が表示内容を保持する自己保持性を有するので、映像サーバ１００は、表示制御装置３１に対して所定時間ごと、もしくは表示映像が変化するごとにコマーシャル映像情報を送信する。このようにコマーシャル映像情報を間欠送信すると、常時送信する場合に比べて送信コストを低減することができる。ただし、自己保持性を有する映像表示装置に対して告知案内映像からコマーシャル映像に選択切り換えを行うとき、すなわち、映像情報選択部５４が表示信号送出部５３による映像情報からコマーシャル映像情報に選択切り換えをするとき、表示制御装置３１のＣＰＵ５０は、映像サーバ１００にコマーシャル映像情報の送信を要求する。これにより、映像サーバ１００が上記所定時間、もしくは表示映像の変化に関係なく、コマーシャル映像情報を要求元の表示制御装置３１へ送信する。このコマーシャル映像情報の送信以降は、所定時間ごと、もしくは表示映像が変化するごとにコマーシャル映像情報を表示制御装置３１へ送信すればよい。この結果、映像サーバ１００から表示制御装置３１へ送信されるコマーシャル映像情報の送信タイミングに起因して、映像表示装置２０の表示映像が告知案内映像からコマーシャル映像にすぐに切り換わらないということを防止できる。
【００３８】
以上の説明では、コマーシャル映像と告知案内映像との切り換え表示を例にあげて説明したが、課金対象の映像と課金対象にならない映像とを切り換えるものであれば、上記例に限らなくてもよい。課金対象の映像は、コマーシャル映像の他に映画、ニュースなど有料で配信される映像である。課金対象でない映像は、告知案内映像の他に、避難誘導情報など優先度が高い映像、および無表示ないし意味のない模様等の特定の伝達情報を含まない映像である。このうち無表示などは、何らかの理由で緊急にコマーシャル映像（情報）を遮蔽したい場合に用いるとよい。たとえば、あらかじめ別に設けられた告知用掲示装置に、より人の目を向けさせるために隣接する表示を無表示にする場合などである。
【００３９】
特許請求の範囲における各構成要素と、発明の実施の形態における各構成要素との対応について説明する。第１の情報は、たとえば、コマーシャル映像情報が対応する。第１の情報提供手段、第２の記録手段、および第２の記録情報送信手段は、たとえば、映像サーバ１００によって構成される。第２の情報は、たとえば、告知案内映像情報が対応する。第２の情報提供手段、表示切換え手段、第１の記録手段、および第１の記録情報送信手段は、たとえば、ＣＰＵ５０によって構成される。外部機器は、たとえば、外部端末１３０Ａ，１３０Ｂによって構成される。なお、本発明の特徴的な機能を損なわない限り、各構成要素は上記構成に限定されるものではない。
【００４０】
【発明の効果】
本発明による情報表示システムでは、時間管理が必要な第１の情報、および第２の情報のいずれか一方を選択して表示するとともに、第１の情報の選択時間を示す情報を外部機器で得ることができる。
【図面の簡単な説明】
【図１】本発明の一実施の形態による情報表示システムの全体構成図である。
【図２】コマーシャル映像情報による表示画面の例を示す図である。
【図３】表示制御装置の概要を説明する図である。
【図４】告知案内映像情報による表示画面の例を示す図である。
【符号の説明】
２０（２０Ａ〜２０Ｃ）…映像表示装置、
３１（３１Ａ〜３１Ｃ）…表示制御装置、
５０…ＣＰＵ、　　　　　　　　　　６０…操作部材、
６０Ｃ…音声入力装置、　　　　　　７１…モニタ用インターフェイス回路、
７２…入力インターフェイス回路、　７３…通信インターフェイス回路、
７４…表示インターフェイス回路、　１００…映像サーバ、
１１０，１１２Ａ〜１１２Ｃ…情報入力装置、
１２０…ネットワーク、　　　　　　１３０Ａ，１３０Ｂ…外部端末
【図１】
2004085848.tif 000003
【図２】
2004085848.tif 000004
【図３】
2004085848.tif 000005
【図４】
2004085848.tif 000006